【手続補正書】
【提出日】平成26年12月18日(2014.12.18)
【手続補正１】
【補正対象書類名】明細書
【補正対象項目名】０００７
【補正方法】変更
【補正の内容】
【０００７】
本発明の画像処理装置は、被写体を第一の視点から第一の絞り値の絞りを介して撮像することにより得られる第一の画像と、前記被写体を、前記第一の視点とは異なる第二の視点から、前記第一の絞り値とは異なる第二の絞り値の絞りを介して撮像することにより得られる、前記第一の画像とは露出の異なる第二の画像とを取得する取得手段と、前記第一の画像のボケ具合と前記第二の画像のボケ具合との間の差異が小さくなるように、前記第一の画像および前記第二の画像のうちの少なくとも一方の画素値を補正する補正手段と、少なくとも一方の画素値が補正された前記第一の画像と前記第二の画像とを合成することで、前記第一の画像および前記第二の画像よりもダイナミックレンジが広い合成画像を生成する合成手段とを備えることを特徴とする。
【手続補正２】
【補正対象書類名】明細書
【補正対象項目名】０００８
【補正方法】変更
【補正の内容】
【０００８】
本発明の画像処理方法は、被写体を第一の視点から第一の絞り値の絞りを介して撮像することにより得られる第一の画像と、前記被写体を、前記第一の視点とは異なる第二の視点から、前記第一の絞り値とは異なる第二の絞り値の絞りを介して撮像することにより得られる、前記第一の画像とは露出の異なる第二の画像とを取得する取得工程と、前記第一の画像のボケ具合と前記第二の画像のボケ具合との間の差異が小さくなるように、前記第一の画像および前記第二の画像のうちの少なくとも一方の画素値を補正する補正工程と、少なくとも一方の画素値が補正された前記第一の画像と前記第二の画像とを合成することで、前記第一の画像および前記第二の画像よりもダイナミックレンジが広い合成画像を生成する合成工程とを備えることを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】特許請求の範囲
【補正対象項目名】全文
【補正方法】変更
【補正の内容】
【特許請求の範囲】
【請求項１】
被写体を第一の視点から第一の絞り値の絞りを介して撮像することにより得られる第一の画像と、前記被写体を、前記第一の視点とは異なる第二の視点から、前記第一の絞り値とは異なる第二の絞り値の絞りを介して撮像することにより得られる、前記第一の画像とは露出の異なる第二の画像とを取得する取得手段と、
前記第一の画像のボケ具合と前記第二の画像のボケ具合との間の差異が小さくなるように、前記第一の画像および前記第二の画像のうちの少なくとも一方の画素値を補正する補正手段と、
少なくとも一方の画素値が補正された前記第一の画像と前記第二の画像とを合成することで、前記第一の画像および前記第二の画像よりもダイナミックレンジが広い合成画像を生成する合成手段とを備える
ことを特徴とする画像処理装置。
【請求項２】
前記補正手段は、前記第一の画像及び前記第二の画像のうちの少なくとも一方の画素値を補正することで、同じ被写体を同じ視点から見た場合の画像であって、互いに露出が異なる画像である複数の画像を取得し、
前記合成手段は、前記補正手段により取得された前記複数の画像を合成することで、前記合成画像を生成する
ことを特徴とする請求項１に記載の画像処理装置。
【請求項３】
前記第一の画像は前記第二の画像よりも被写界深度の浅い画像であり、
前記取得手段は、前記第二の絞り値で前記被写体を撮像することにより得られた、前記第二の画像とは異なる第三の画像を更に取得し、
前記補正手段は、前記第二の画像と前記第三の画像とを合成することにより、前記第二の画像の被写界深度が浅くなるように前記第二の画像の画素値を補正し、
前記合成手段は、前記第一の画像と、画素値が補正された前記第二の画像とを合成することで、前記合成画像を生成する
ことを特徴とする請求項１または２に記載の画像処理装置。
【請求項４】
前記補正手段は、前記第二の画像と前記第三の画像とを重みづけ加算することにより前記第二の画像の画素値を補正し、
前記重みづけ加算に用いる重み係数は、前記第一の絞り値に基づいて決定される
ことを特徴とする請求項３に記載の画像処理装置。
【請求項５】
前記第一の画像は前記第二の画像よりも被写界深度の浅い画像であり、
前記補正手段は、前記第二の画像に平滑化処理を施すことで、前記第二の画像の被写界深度が浅くなるように前記第二の画像の画素値を補正することを特徴とする請求項１又は２に記載の画像処理装置。
【請求項６】
前記補正手段は、前記第一の画像の空間周波数スペクトルに基づき、前記平滑化処理を行う
ことを特徴とする請求項５に記載の画像処理装置。
【請求項７】
前記補正手段は、前記第一の画像の第一の領域における第一の空間周波数スペクトルと、前記第二の画像の、前記第一の領域に対応する第二の領域における第二の空間周波数スペクトルとを比較し、前記第一の空間周波数スペクトルと前記第二の空間周波数スペクトルとの間の相違度が所定の閾値よりも大きい場合に、前記第二の領域に対して平滑化処理を行う
ことを特徴とする請求項６に記載の画像処理装置。
【請求項８】
前記補正手段は、前記平滑化処理が行われた後の前記第二の領域の空間周波数スペクトルである第三の空間周波数スペクトルと、前記第一の空間周波数スペクトルとを比較し、前記第三の空間周波数スペクトルと前記第一の空間周波数スペクトルとの間の相違度が所定の閾値よりも大きい場合に、前記第二の領域に対して更に平滑化処理を行う
ことを特徴とする請求項７に記載の画像処理装置。
【請求項９】
前記第一の領域および前記第二の領域は、前記第一の画像および前記第二の画像のエッジに基づいて決定される
ことを特徴とする請求項７または８に記載の画像処理装置。
【請求項１０】
請求項１乃至９のいずれか一項に記載の画像処理装置と、
前記第一の画像を撮像する第一の撮像部と、
前記第二の画像を撮像する第二の撮像部とを有する
ことを特徴とする撮像装置。
【請求項１１】
前記第二の撮像部を含む、前記第二の絞り値の絞りを介して撮像する複数の第二の撮像部と、
前記第二の絞り値よりも大きな第三の絞り値の絞りを介して撮像する複数の第三の撮像部とを有し、
前記複数の第三の撮像部間の距離は、前記複数の第二の撮像部間の距離よりも大きい
ことを特徴とする請求項１０に記載の撮像装置。
【請求項１２】
被写体を第一の視点から第一の絞り値の絞りを介して撮像することにより得られる第一の画像と、前記被写体を、前記第一の視点とは異なる第二の視点から、前記第一の絞り値とは異なる第二の絞り値の絞りを介して撮像することにより得られる、前記第一の画像とは露出の異なる第二の画像とを取得する取得工程と、
前記第一の画像のボケ具合と前記第二の画像のボケ具合との間の差異が小さくなるように、前記第一の画像および前記第二の画像のうちの少なくとも一方の画素値を補正する補正工程と、
少なくとも一方の画素値が補正された前記第一の画像と前記第二の画像とを合成することで、前記第一の画像および前記第二の画像よりもダイナミックレンジが広い合成画像を生成する合成工程とを備える
ことを特徴とする画像処理方法。
【請求項１３】
コンピュータを請求項１乃至９のいずれか一項に記載の画像処理装置として機能させるプログラム。
【請求項１４】
コンピュータを請求項１０または１１に記載の撮像装置として機能させるプログラム。